(57)【要約】【課題】データの破損を防止しつつメモリカードの交換を手早く行う上で有利な電子機器を提供する。【解決手段】撮像装置１０は筐体１２を有し、ディスプレイパネル２２は、筐体１２の左側部に開閉可能に設けられている。筐体１２の左側面１２Ａの下部に、メモリカード２を挿脱するスロット３６と蓋体３８が設けられている。蓋体３８は、スロット３６の開口３６０２を開閉するものである。蓋体３８が閉塞位置でディスプレイパネル２２が収容位置に位置した状態で蓋体３８の上部をディスプレイパネル２２の下部が覆うように構成されている。したがって、蓋体３８は閉塞位置から開放位置への移動が不能となり、メモリカード２のスロット３６からの取り出しおよびスロット３６への挿入ができない状態となる。【選択図】図７
2008271328.tif 000002
【特許請求の範囲】
【請求項１】
筐体の側面に対して開閉可能に設けられたディスプレイパネルと、
前記筐体に設けられメモリカードが挿脱可能なスロットと、
前記側面に設けられた前記スロットの開口と、
前記開口を開閉する蓋体とを備える電子機器であって、
１）前記蓋体が前記開口を閉塞する閉塞位置に位置し、前記ディスプレイパネルが前記側面に合わされた前記ディスプレイパネルの収容位置で、前記蓋体は前記ディスプレイパネルにより覆われることによって前記閉塞位置から前記開口を開放する開放位置への移動が不能となり、
２）前記蓋体が前記開放位置に位置した状態で、前記ディスプレイパネルの開閉が可能であり、
３）前記蓋体が前記開放位置に位置し、前記ディスプレイパネルが前記収容位置に位置した状態で、前記開口から前記スロットに対する前記メモリカードの挿脱が可能である、
ことを特徴とする電子機器。
【請求項２】
前記開口は前記側面の下部に設けられ、
前記蓋体が前記閉塞位置に位置し、前記ディスプレイパネルが前記収容位置に位置した状態で、前記ディスプレイパネルの下部が前記蓋体の上部を覆う、
ことを特徴とする請求項１記載の電子機器。
【請求項３】
前記開口は前記側面の下部に設けられ、
前記蓋体の上部に前記蓋体を前記閉塞位置から前記開放位置に移動操作するための指掛け部が設けられ、
前記蓋体が前記閉塞位置に位置し、前記ディスプレイパネルが前記収容位置に位置した状態で、前記ディスプレイパネルの下部が前記蓋体の前記指掛け部を覆う、
ことを特徴とする請求項１記載の電子機器。
【請求項４】
前記開口は前記側面の下部に設けられ、
前記蓋体が前記開放位置に位置し、前記ディスプレイパネルが前記収容位置に位置した状態で、前記開口は前記ディスプレイパネルの下方に露出する、
ことを特徴とする請求項１記載の電子機器。
【請求項５】
前記蓋体が前記開放位置に位置し、前記ディスプレイパネルが前記収容位置に位置した状態で、前記蓋体は前記開放位置から前記閉塞位置に移動できるように構成されている、
ことを特徴とする請求項１記載の電子機器。
【請求項６】
前記スロットと前記開口との間に、前記スロットの高さと幅に対応した高さと幅を有すると共に、前記スロットの奥行き方向に沿って延在するスロット挿入用空間が前記筐体に設けられ、
前記開口は前記側面の下部から前記筐体の下面にわたって形成され、
前記スロット挿入用空間の高さと幅で囲まれる領域が、前記側面の下部に形成された前記開口部分により前記側面の下部に開放され、前記スロット挿入用空間の幅と奥行きで囲まれる領域が、前記筐体の下面に形成された前記開口部分により前記筐体の下面に開放される、
ことを特徴とする請求項１記載の電子機器。
【請求項７】
前記スロットと前記開口との間に、前記スロットの高さと幅に対応した高さと幅を有すると共に、前記スロットの奥行き方向に沿って延在するスロット挿入用空間が設けられ、
前記メモリカードを前記スロットへ案内する案内用空間が前記スロット挿入用空間に連続状に前記筐体に設けられ、
前記スロット挿入用空間および前記案内用空間は前記開口と共に前記蓋体により開閉され、
前記蓋体が前記開放位置に位置し、前記ディスプレイパネルが前記収容位置に位置した状態で、前記案内用空間は前記ディスプレイパネルにより覆われる、
ことを特徴とする請求項１記載の電子機器。
【請求項８】
前記蓋体が前記開放位置にあるか否かを検出する蓋体開閉検出部と、
前記蓋体開閉検出部により前記蓋体が前記開放位置にあることが検出された際に、前記メモリカードの前記スロットからの取り出しを禁止する警告表示を前記ディスプレイパネルに表示させる制御部とを設けた、
ことを特徴とする請求項１記載の電子機器。
【請求項９】
前記スロットに挿入された前記メモリカードに対するデータの記録動作がなされているか否かを表示するメモリカードアクセス表示部を設けた、
ことを特徴とする請求項１記載の電子機器。
【請求項１０】
前記電子機器は、被写体像を撮像する撮像素子と、前記被写体像を前記撮像素子に導く撮影光学系とを備えた撮像装置である、
ことを特徴とする請求項１記載の電子機器。
【発明の詳細な説明】
【技術分野】
【０００１】
本発明は電子機器に関する。
【背景技術】
【０００２】
記録媒体に対してデータを書き込み、また、記録媒体からデータを読み出す電子機器としてビデオカメラなどの撮像装置がある。
このようなビデオカメラでは、記録媒体として、ビデオテープカセット（磁気テープカセット）を用いたもの（特許文献１参照）、光ディスク（ディスク状記録媒体）を用いたもの（特許文献２参照）、板状または棒状の記録媒体であるメモリカードを用いたもの（特許文献３参照）が知られている。
ビデオカメラを用いて撮影を行うことにより撮影した動画あるいは静止画のデータを記録媒体に書き込んでいくと、記録媒体の空き容量、すなわち残量が次第に減少していくため、ビデオカメラは、そのディスプレイパネルなどに、残量が少ないので記録媒体を交換することが必要である旨の警告表示を行う。
ユーザーはその警告表示を視認することで、適宜のタイミングで記録媒体の交換を行うことになる。
例えば、記録媒体としてビデオテープカセットを用いていた場合には、撮影／停止操作ボタンを操作してビデオテープカセットに対する録画動作を停止させ、イジェクトボタンを操作する。
すると、ビデオテープカセットから引き出され、ビデオカメラの磁気ヘッドが設けられた回転ドラムに巻回されていた磁気テープをビデオテープカセット内部に収容させる。
そして、ユーザーが新たなビデオテープカセットをデッキ部に装着すると、ビデオカセットからテープガイドを介して磁気テープが引き出され、回転ヘッドに巻回されて録画動作の準備が完了する。
次いで、ユーザーが撮影／停止操作ボタンを操作してビデオテープカセットに対する録画動作を開始させる。
また、記録媒体として光ディスクを用いていた場合には、撮影／停止操作ボタンを操作して光ディスクに対する録画動作を停止させる。
一般的に光ディスクに対するデータの記録を終了させる際には、ＴＯＣを記録するなどの終了処理に時間を要し、終了処理が終了したのち、イジェクトボタンの操作が有効となる。イジェクトボタンを操作することで、光ディスク収容部の蓋体が開放され光ディスクを装着部から取り出すことが可能となる。
そして、ユーザーが新たな光ディスクを装着部に装着し、蓋体を閉塞すると、光ディスクに対する録画動作の準備が完了する。
次いで、ユーザーが撮影／停止操作ボタンを操作して光ディスクに対する録画動作を開始させる。
このように、記録媒体としてビデオテープカセットや光ディスクなどを用いた場合には、記録媒体を交換する際に機構部分の動作や終了処理などに時間がかかり、撮影の中断時間が長くなる不利がある。
これに対して、記録媒体としてメモリカードを用いた場合には、記録媒体の交換に伴う機構部分の動作がなく、また、メモリカードに対するデータの記録時の終了処理もごく短時間で済むことから、記録媒体の交換が瞬時に行え、撮影の中断時間を短縮することができる利点がある。
【特許文献１】特開２００１−５３９９４号公報
【特許文献２】特開２００５−１８４６６９号公報
【特許文献３】特開２０００−３２２５１８号公報
【発明の開示】
【発明が解決しようとする課題】
【０００３】
しかしながら、メモリカードに対する記録動作中（アクセス動作中）にメモリカードをスロットから取り外すと、メモリカードに記録していたデータの一部が破損するおそれもある。
したがって、メモリカードを記録媒体として使用する電子機器においてメモリカードを交換するにあたっては、データの破損を防止しつつメモリカードの交換を如何に手早く行うかかが問題となる。
本発明はこのような事情に鑑みなされたもので、その目的は、データの破損を防止しつつメモリカードの交換を手早く行う上で有利な電子機器を提供することにある。
【課題を解決するための手段】
【０００４】
上述の目的を達成するため、本発明は、筐体の側面に対して開閉可能に設けられたディスプレイパネルと、前記筐体に設けられメモリカードが挿脱可能なスロットと、前記側面に設けられた前記スロットの開口と、前記開口を開閉する蓋体とを備える電子機器であって、前記蓋体が前記開口を閉塞する閉塞位置に位置し、前記ディスプレイパネルが前記側面に合わされた前記ディスプレイパネルの収容位置で、前記蓋体は前記ディスプレイパネルにより覆われることによって前記閉塞位置から前記開口を開放する開放位置への移動が不能となり、前記蓋体が前記開放位置に位置した状態で、前記ディスプレイパネルの開閉が可能であり、前記蓋体が前記開放位置に位置し、前記ディスプレイパネルが前記収容位置に位置した状態で、前記開口から前記スロットに対する前記メモリカードの挿脱が可能であることを特徴とする。
【発明の効果】
【０００５】
本発明によれば、蓋体が閉塞位置に位置しディスプレイパネルが収容位置に位置することでメモリカードのスロットに対する挿脱操作が禁止され、これによりメモリカードの不用意な挿脱動作が防止され、メモリカードのデータの破損を防止する上で有利となる。
また、蓋体が開放位置に位置することでディスプレイパネルの位置に拘わらず、メモリカードのスロットへの挿脱が行えるので、メモリカードの手早い交換を行う上で有利となる。
【発明を実施するための最良の形態】
【０００６】
次に、本発明の実施の形態について図面を参照して説明する。
本実施の形態では、電子機器は撮像装置１０である。
図１乃至図４は本実施の形態の撮像装置１０のディスプレイパネル２２が収容位置に位置した状態の斜視図である。
図５は撮像装置１０のディスプレイパネル２２が開放位置に位置した状態の斜視図である。
図６は撮像装置１０のディスプレイパネル２２が収容位置に位置した状態でのメモリカード２の挿脱動作の説明図である。
図７はディスプレイパネル２２が収容位置に位置した状態での蓋体３８の開放位置および閉塞位置を示す説明図、図８（Ａ）はディスプレイパネル２２が収容位置に位置した状態での蓋体３８の閉塞位置を示す説明図、（Ｂ）はディスプレイパネル２２が収容位置に位置した状態での蓋体３８の開放位置を示す説明図である。
図９は撮像装置１０の正面図、図１０は撮像装置１０の平面図、図１１は図１０のＡ矢視図である。
図１２は撮像装置１０の制御系の構成を示すブロック図である。
【０００７】
まず、図１２を参照して撮像装置１０の制御系の構成について説明する。
本実施の形態では、撮像装置１０は板状または棒状の記録媒体であるメモリカード２に対して撮影した動画、静止画、音声などのデータを記録し、また、メモリカード２からそれらのデータを再生するビデオカメラである。
撮像装置１０は外装を構成する筐体１２を有し、筐体１２には撮影光学系１４が組み込まれたレンズ鏡筒１６が設けられ、レンズ鏡筒１６の後端には撮影光学系１４によって導かれた被写体像を撮像する撮像素子１８が設けられている。
また、撮像装置１０は、マイク２０、ディスプレイパネル２２、スピーカー２６、映像信号用増幅部１０２、映像信号処理部１０４、マイクロフォン用増幅部１０６、音声信号処理部１０８、出力用増幅部１１０、記録再生部１１２、制御部１１４、ディスプレイパネルドライバ１１６、バッファメモリ１１８、メモリカード用インターフェース１２０、蓋体開閉検出スイッチ１２２、メモリカードアクセスランプ１２４、操作部１２６、外部入出力インターフェース１２８、外部入出力端子１３０などを含んで構成されている。
【０００８】
撮像素子１８で生成された撮像信号は映像信号用増幅部１０２で増幅され、映像信号処理部１０４に供給される。
映像信号処理部１０４は、撮像信号に所定の信号処理を行うことで、動画データおよび静止画データを生成し、記録再生部１１２に供給される。
マイクロフォン２０で収音された音声信号はマイクロフォン用増幅部１０６で増幅され、音声信号処理部１０８によって所定の信号処理がなされ音声データとして記録再生部１１２に供給される。
【０００９】
記録再生部１１２は、映像信号処理部１０４から供給された動画データおよび静止画データや音声信号処理部１０８から供給された音声データを制御部１１４の制御にしたがってメモリカード用インターフェース１２０を介してメモリカード２に記録する。
なお、本実施の形態では、記録再生部１１２によるメモリカード２へのデータの記録は、メモリカード２に記録すべきデータをいったんバッファメモリ１１８に蓄積したのち、バッファメモリ１１８から読み出したデータをメモリカード２に書き込むことでなされる。
また、記録再生部１１２は、記録再生部１１２から供給された動画データおよび静止画データを、ディスプレイパネルドライバ１１６を介してディスプレイパネル２２に供給して画像の表示を行わせる。
また、記録再生部１１２は、メモリカード用インターフェース１２０を介してメモリカード２から供給される動画データ、静止画データを、ディスプレイパネルドライバ１１６を介してディスプレイパネル２２に供給して画像の表示を行わせるとともに、メモリカード用インターフェース１２０を介してメモリカード２から供給される音声信号を出力用増幅部１１０を介してスピーカー２６に供給して音声の出力を行わせる。
【００１０】
外部入出力インターフェース１２８は記録再生部１１２で再生された音声データおよび画像データを所定の信号形式に変換して、外部入出力端子１３０を介してテレビジョン装置、ＨＤＤレコーダー、パーソナルコンピュータなど外部機器に出力するものである。
【００１１】
操作部１２６は、図５に示す複数の操作スイッチ２４、電源スイッチ２８Ａ、静止画撮影用スイッチ２８Ｂ、ズーム用スイッチ２８Ｃ、モード切り換え用スイッチ２８Ｄ、動画撮影用スイッチ２８Ｅを備えるものである。これらスイッチ２４、２８Ａ乃至２８Ｅは撮影にまつわる種々の機能を実行するための操作スイッチである。
制御部１１４は、電源スイッチ２８Ａの操作に基づいて撮像装置１０の電源のオン、オフを行う。
制御部１１４は、静止画撮影用スイッチ２８Ｂの操作に基づいて映像信号処理部１０４および記録再生部１１２に指令を与えることにより、映像信号処理部１０４から供給される静止画データを記録再生部１１２を介してメモリカード用インターフェース１２０に供給することで静止画データをメモリカード２に記録させる。言い換えると、静止画撮影用スイッチ２８Ｂは、いわゆるシャッタボタンとして機能している。
制御部１１４は、ズーム用スイッチ２８Ｃの操作に基づいて不図示のズーム駆動部に指令を与えることにより、撮影光学系１４の可動レンズを移動させることにより、撮影光学系１４のズーム率を変化させる。
制御部１１４は、モード切り換え用スイッチ２８Ｄの操作に基づいて映像信号処理部１０４に指令を与えることにより、映像信号処理部１０４によって動画データを生成させる動画撮影モードと、映像信号処理部１０４によって静止画データを生成させる静止画撮影モードとを切り換える。
なお、動画撮影モードでは、映像信号処理部１０４で生成された動画データが記録再生部１１２を介してメモリカード２に記録され、静止画撮影モードでは、映像信号処理部１０４で生成されたで生成された静止画データが記録再生部１１２を介してメモリカード２に記録される。
制御部１１４は、動画撮影用スイッチ２８Ｅの操作に基づいて動画データの記録の開始、記録の停止を行わせる。すなわち、制御部１１４は、動画撮影用スイッチ２８Ｅの操作に基づいて映像信号処理部１０４および記録再生部１１２に指令を与えることにより、映像信号処理部１０４からに供給される動画データを記録再生部１１２を介してメモリカード用インターフェース１２０に供給することで動画データをメモリカード２に記録させる動作を開始させ、あるいは、その動作を停止させる。言い換えると、動画撮影用スイッチ２８Ｅは、いわゆる撮影スタート／ストップの操作部材として機能している。
また、パネル側動画撮影用スイッチ３０Ａ、パネル側ズーム用スイッチ３０Ｂ、メニュー操作用スイッチ３０Ｃは制御部１１４に接続されている。パネル側動画撮影用スイッチ３０Ａは動画撮影用スイッチ２８Ｅと同様の機能を有し、パネル側ズーム用スイッチ３０Ｂはズーム用スイッチ２８Ｃと同様の機能を有している。また、メニュー操作用スイッチ３０Ｃは、ディスプレイパネル２２に表示されるメニューの階層を最上位の階層に直接戻すために操作されるスイッチである。
【００１２】
蓋体開閉検出スイッチ１２２は、後述する蓋体３８の開閉状態を検出し、その検出信号を制御部１１４に供給するものであり、蓋体開閉検出スイッチ１２２によって、蓋体２８が開放位置にあるか否かを検出する蓋体開閉検出部が構成されている。
本実施の形態では、蓋体開閉検出スイッチ１２２は、蓋体３８が開放位置に位置した状態でオンし、蓋体３８が開放位置から動かされるとオフするものである。
メモリカードアクセスランプ１２４は、制御部１１４によってメモリカード２に対するデータの記録動作がなされている状態で点灯され、記録動作が行われていない状態で滅灯されるものであり、メモリカードアクセスランプ１２４によって、スロット３６に挿入されたメモリカード２に対するデータの記録動作がなされているか否かを表示するメモリカードアクセス表示部が構成されている。
本実施の形態では、メモリカードアクセスランプ１２４はＬＥＤで構成されている。
【００１３】
次に撮像装置１０の構成について説明する。
図１乃至図５に示すように、筐体１２は、左右方向の幅よりも大きな寸法の前後方向の長さおよび上下方向の高さを有している。なお、本明細書において左右は、撮像装置１０を後方から見た状態でいうものとし、また、光学系の光軸方向で被写体側を前方といい、撮像素子側を後方という。
レンズ鏡筒１６は、筐体１２の上部の前部で前後に延在し、その前部が筐体１２の前面に臨むように設けられ、したがって、被写体像は筐体１２の前部から筐体１２の内部に導かれる。
撮像素子１８（図１０）はレンズ鏡筒１６の後端に設けられている。
マイクロフォン２０はレンズ鏡筒１６の上面に設けられている。
【００１４】
ディスプレイパネル２２は、筐体１２の左側部に開閉可能に設けられている。
ディスプレイパネル２２は、ディスプレイ装置３２とパネル用ケース３４とを備え、長方形板状を呈している。
図５に示すように、ディスプレイ装置３２は、撮像素子１８によって撮像された被写体像などを表示するものであり、画像を表示する長方形の表示面３２０２を有し、この表示面３２０２はディスプレイパネル２２の内面を構成している。
本実施の形態では、ディスプレイ装置３２は液晶ディスプレイ装置で構成されている。なお、ディスプレイ装置３２の種類は任意であり、例えば、有機ＥＬディスプレイ装置であってもよい。
ディスプレイパネル２２は、その一方の短辺寄りの箇所がヒンジ２２０２を介して筐体１２の左側部の前部寄りの箇所に連結され、筐体１２の上下方向に延在する第１の軸線Ｏ１回りに揺動可能に、かつ、第１の軸線Ｏ１と直交する第２の軸線Ｏ２回りに揺動可能に連結されている。
本実施の形態では、ディスプレイパネル２２は、図１に示すように、第１の軸線Ｏ１回りで、ディスプレイ装置３２の表示面３２０２（パネル２２の内面）が筐体１２の左側面１２Ａに重ね合わされた第１の収容位置と、図５に示すように、第１の収容位置から９０度開かれディスプレイ装置３２の表示面３２０２が後方を向いた開放位置との間で揺動するように構成されている。なお、表示面３２０２（パネル２２の内面）を筐体１２の左側面１２Ａに重ね合わせた第１の収容位置においてディスプレイパネル２２の外面２２１０（図１）が外方に向けられる。
また、ディスプレイパネル２２は、前記開放位置において第２の軸線Ｏ２回りに、ディスプレイ装置３２の表示面３２０２が前方を向いた位置と、下方を向いた位置との間で２７０度の範囲で揺動するように構成されている。
また、ディスプレイパネル２２は、前記開放位置において第２の軸線Ｏ２回りに揺動されてディスプレイ装置３２の表示面３２０２を前方に向けたのち、第１の軸線Ｏ１回りに揺動されてディスプレイパネル２２の外面２２１０を筐体１２の左側面１２Ａに重ね合わせることでディスプレイ装置３２の表示面３２０２を左側方に向けた第２の収容位置となる。
【００１５】
図５に示すように、筐体１２の左側面１２Ａには、種々の操作を行うための複数の操作スイッチ２４、スピーカー２６、メモリカードアクセスランプ１２４などが設けられている。
筐体１２の上部の後部寄りの箇所には、電源スイッチ２８Ａ、静止画撮影用スイッチ２８Ｂ、ズーム用スイッチ２８Ｃ、モード切り換え用スイッチ２８Ｄなどが設けられ、筐体１２の後面には、動画撮影用スイッチ２８Ｅが設けられている。
なお、筐体１２の上面１２１０は、図１４、図１５に示すように、前部は平坦面で構成され、後部は中央部が盛り上がるように左右の傾斜面１２１０Ａ、１２１０Ｂで構成されている。
また、ディスプレイパネル２２には、パネル側動画撮影用スイッチ３０Ａ、パネル側ズーム用スイッチ３０Ｂ、メニュー操作用スイッチ３０Ｃなどが設けられている。
【００１６】
図５に示すように、筐体１２の左側面１２Ａの下部に、スロット３６と蓋体３８が設けられている。
スロット３６は、メモリカード２が挿脱されるものであり、メモリカード２が挿脱される大きさで形成されている。
スロット３６は、細長状の開口３６０２を左側面１２Ａの下部に位置させ、開口３６０２の長手方向を前後方向に平行させて設けられている。
メモリカード２はスロット３６に挿入されることで、メモリカード２の接続端子がスロット３６内部のコネクタ（不図示）に電気的に接続され、これにより、コネクタを介してメモリカード用インターフェース１２０との間で信号の授受を行う。
本実施の形態では、スロット３６はいわゆるプッシュプッシュ方式の構造であり、メモリカード２をスロット３６に挿入して押し込むことでメモリカード２がコネクタに接続された状態でロックされ、この状態でメモリカード２を再度押し込むとメモリカード２のロックが解除され、メモリカード２がスロット３６から取り出し可能となるように構成されている。
【００１７】
本実施の形態では、図７に示すように、スロット３６と開口３６０２との間に、スロット３６の高さと幅に対応した高さと幅を有すると共に、スロット３６の奥行き方向に沿って延在するスロット挿入用空間４０が筐体１２に設けられている。
開口３６０２は左側面１２Ａの下部から筐体１２の下面１２Ｂにわたって形成されている。
そして、スロット挿入用空間４０の高さと幅で囲まれる領域が、左側面１２Ａの下部に形成された開口３６０２部分により左側面１２Ａの下部に開放され、スロット挿入用空間４０の幅と奥行きで囲まれる領域が、筐体１２の下面１２Ｂに形成された開口３６０２部分により筐体１２の下面１２Ｂに開放される。
【００１８】
また、本実施の形態では、メモリカード２をスロット３６へ案内する案内用空間４２
がスロット挿入用空間４０の上部に連続状に筐体１２に設けられている。
案内用空間４２およびスロット挿入用空間４０は開口３６０２と共に蓋体３８により開閉される。
蓋体３８が開放位置に位置し、ディスプレイパネル２２が収容位置（第１の収容位置と第２の収容位置の双方を含む）に位置した状態で、案内用空間４２はディスプレイパネル２２により覆われる。
そして、図７に示すように、案内用空間４２の上部には、スロット３６の奥部に至るにつれて次第に下位に位置する傾斜のガイド板４４が設けられている。
したがって、案内用空間４２にガイド板４４が設けられ、開口３６０２は左側面１２Ａの前部の下部から下面１２Ｂの左縁の前部にわたって延在しスロット挿入用空間４０が開放されることにより、メモリカード２のスロット３６への挿入が円滑になされるように図られている。
【００１９】
蓋体３８は、図６、図７、図８（Ｂ）に示すように、スロット３６の開口３６０２を開閉するものであり、蓋体３８は、左側面１２Ａの下部に形成された開口３６０２部分を閉塞する側面部３８０２と、筐体１２の下面１２Ｂに形成された開口３６０２部分を閉塞する下面部３８０４と、それら側面部３８０２の前後方向両端と下面部３８０６の前後方向両端とを接続する接続面部３８０６とを有し、接続面部３８０８の先端が筐体１２の内部に支軸を介して揺動可能に連結されている。
蓋体３８は、図７に示すように、前記支軸を支点として開口３６０２を閉塞した閉塞位置と、開口３６０２を開放した開放位置との間で揺動し、蓋体３８が開放位置に位置した状態で、ディスプレイパネル２２の開閉が可能である。
蓋体３８は、図８（Ａ）に示すように、閉塞位置では左側面１２Ａと側面部３８０２とが同一面上に位置し、かつ、下面１２Ｂと下面部３８０４とが同一面上に位置する。
また、蓋体３８は、図８（Ｂ）に示すように、開放位置で左側面１２Ａと下面部とが平行し、下面１２Ｂと側面部３８０２とが平行する。
蓋体３８は、図６に示すように、側面部３８０２の上縁に開閉操作用の指掛け部３８１０が設けられており、この指掛け部３８１０に指あるいは爪を引っ掛けることで蓋体３８の閉塞位置から開放位置への揺動操作および開放位置から閉塞位置への揺動操作が簡単に行われるように図られている。
【００２０】
そして、図８（Ａ）に示すように、蓋体３８が閉塞位置でディスプレイパネル２２が収容位置（第１の収容位置と第２の収容位置の双方を含む）に位置した状態で、蓋体３８の上部がディスプレイパネル２２の下部で覆われるように構成されている。言い換えると、蓋体３８が閉塞位置でディスプレイパネル２２が収容位置（第１の収容位置と第２の収容位置の双方を含む）に位置した状態で、蓋体３８の指掛け部３８１０がディスプレイパネル２２の下部で覆われるように構成されている。
したがって、この状態では、蓋体３８の指掛け部３８０２に爪（指）を引っ掛けることができないため、蓋体３８は閉塞位置から開放位置への移動が不能となり、したがって、メモリカード２のスロット３６からの取り出しおよびスロット３６への挿入ができない状態となる。
また、図６、図７に示すように、蓋体３８が開放位置でディスプレイパネル２２が収容位置（第１の収容位置と第２の収容位置の双方を含む）に位置した状態で、蓋体３８を開放位置から閉塞位置に移動できるように構成されている。
したがって、仮に、開放位置にある蓋体３８に物がぶつかり、蓋体３８が開放位置から閉塞位置に動かされたとしても、蓋体３８はディスプレイパネル２２の下部に干渉することなく閉塞位置に移動でき、蓋体３８やディスプレイパネル２２の下部の破損防止が図られている。
【００２１】
また、図６、図８（Ｂ）に示すように、蓋体３８が開放位置でディスプレイパネル２２が収容位置（第１の収容位置と第２の収容位置の双方を含む）に位置した状態で、案内用空間４２（図７）に対応する開口３６０２部分がディスプレイパネル２２により覆われるものの、スロット挿入用空間４０およびスロット３６は、スロット挿入用空間４０に対応する開口３６０２部分により開放されている。
したがって、この状態では、ディスプレイパネル２２の下方からメモリカード２のスロット３６からの取り出しと挿入が許容される。
本実施の形態では、図７に示すように、蓋体３８が開放位置でスロット挿入用空間４０が筐体１２の左側面１２Ａと下面１２Ｂの双方に開放されることから、メモリカード２のスロット３６からの取り出しと挿入を円滑に行う上で有利となっている。
【００２２】
次に図１３のフローチャートを参照して撮像装置１０の動作を説明する。
すなわち、撮影時においてメモリカード２の残量が減少し、新たなメモリカード２と交換する際の動作について説明する。
なお、本実施の形態では、撮像装置１０は、蓋体３８の開放位置を検出してユーザーにメモリカード２の不用意な取り出しを警告する機能を備えるとともに、その警告機能を有効とする開放警告モードと、警告機能を無効とする開放警告無効モードとの何れかを選択して設定できるように構成されている。
このような開放警告モードおよび開放警告無効モードの設定は、ユーザーが操作部１２６を操作することによりその設定操作を制御部１１４が受け付けることでなされる。
【００２３】
予め、撮像装置１０は、ユーザーが操作部１２６を操作することにより、動画の撮影を行う撮影モードに設定されているものとする。
制御部１１４は、蓋体開閉検出スイッチ１２２からの検出信号を監視し、蓋体３８が開放位置にあるか、閉塞位置にあるかを常時判定している（ステップＳ１０）。
蓋体３８が閉塞位置にあると判定されればステップＳ１０を繰り返して実行する。
制御部１１４は、ステップＳ１０で蓋体３８が開放位置にあると判定されると、開放警告モードであるか否かを判定する（ステップＳ１２）。
開放警告モードであれば、撮影モードであるか否かを判定し（ステップＳ１４）、撮影モードであれば、メモリカード２のスロット３６からの取り出しを禁止する警告表示をディスプレイパネル２２に表示させる（ステップＳ１６）。
このような警告表示を行うことにより、ユーザーがメモリカード２の取り出しを行うことの防止が図られている。
【００２４】
そして、このときメモリカード２に対するデータの記録中であるか否かを判定し（ステップＳ１８）、記録中であれば、記録再生部１１２によるメモリカード２に対するデータの記録動作を停止させるとともに、記録再生部１１２に所定の終了処理を実行させる（ステップＳ２０）。
次いで、終了処理の完了後、所定時間が経過したのち、ディスプレイパネル２２に表示されていた「メモリカード２のスロット３６からの取り出しを禁止する警告表示」の表示を消す（ステップＳ２２）。
ユーザーは、このような警告表示の解除に応じてメモリカード２をスロット３６から取り出し、新たなメモリカード２をスロット３６に挿入する。これにより、記録再生部１１２によるメモリカード２へのデータの記録を正常に行うことができる状態となる。
そして、蓋体３８が開放位置にあることを示す表示を、文字やアイコン（絵文字）をディスプレイパネル２２に表示させることで行わせる（ステップＳ２４）。これにより、ユーザーに対して蓋体３６を開放位置から閉塞位置へ移動する操作が促され、一連の処理が終了する。
また、ステップＳ１４において撮影モードでないと判定された場合には、ステップＳ２４に移行して蓋体３６が開放位置にあることを表示させたのち、一連の処理を終了する。
また、ステップＳ１８においてメモリカード２に対するデータの記録がなされていないと判定された場合には、ステップＳ２２に移行して警告を解除したのち、ステップＳ２４に移行する。
【００２５】
なお、ステップＳ１２で、開放警告モードでないと判定された場合には（開放警告無効モードであると判定された場合には）、ステップＳ１４乃至Ｓ２４の処理をスキップして処理を終了する。
この場合には、蓋体３８の開放位置、閉塞位置に拘わらず、メモリカード２をスロット３６から取り外すことが可能な状態となっている。
【００２６】
したがって、開放警告モードである場合には、ユーザーがメモリカード２を交換すべく蓋体３８を開放位置に移動させると、メモリカード２の取り出しを禁止する警告表示がなされるため、データ記録中のメモリカード２を誤ってスロット３６から取り出してデータの破損を招くことが防止される。
一方、開放警告無効モードである場合には、蓋体３８を開放位置に位置させても前記の警告表示がなされず、また、データ記録の終了処理もなされない。
したがって、ユーザーは、メモリカードアクセスランプ１２４が滅灯された際に、言い換えると、メモリカード２に対するデータ記録動作がなされていない期間に、メモリカード２をスロット３６から取り出し、新たなメモリカード２をスロット３６に挿入することができ、メモリカード２の交換作業を手早く行うことができる。
なお、メモリカード２に対するデータ記録動作がなされていない期間に、メモリカード２をスロット３６から取り出した場合には、データ記録の終了処理がなされないが、データの破損は生じない。また、この場合、メモリカード２に対する記録が中断している期間のデータはバッファメモリ１１８に格納されているため、新たなメモリカード２がスロット３６に挿入されたのち、バッファメモリ１１８に格納されていたデータが新たなメモリカード２に記録されることになる。
【００２７】
以上説明したように本実施の形態によれば、蓋体３８が開口３６０２を閉塞する閉塞位置に位置し、ディスプレイパネル２２が左側面１２Ａに合わされたディスプレイパネル２２の収容位置（第１の収容位置と第２の収容位置の双方を含む）で、蓋体３８はディスプレイパネル２２により覆われることによって閉塞位置から開口３６０２を開放する開放位置への移動が不能となる。
したがって、メモリカード２のスロット３６に対する挿脱操作が禁止され、これによりメモリカード２の不用意な挿脱動作によってメモリカード２に記録されるデータの破損を防止する上で有利となる。
また、本実施の形態によれば、また、蓋体３８が開放位置に位置した状態で、ディスプレイパネル２２の開閉が可能であり、蓋体３８が開放位置に位置し、ディスプレイパネル２２が収容位置（第１の収容位置と第２の収容位置の双方を含む）に位置した状態で、開口３６０２からスロット３６に対するメモリカード２の挿脱が可能である。
したがって、蓋体３８を開放位置に位置させディスプレイパネル２２を開放位置に位置させた状態でメモリカード２のスロット３６への挿脱が行えることは無論のこと、蓋体３８を開放位置に位置させディスプレイパネル２２を閉塞位置に位置させた状態であっても、メモリカード２のスロット３６への挿脱が行えるので、メモリカード２の手早い交換を行う上で有利となる。
【００２８】
また、本実施の形態では、蓋体開閉検出スイッチ１２２によって蓋体３８が開放位置にあることが検出された際に、制御部１１４によって、メモリカード２のスロット３６からの取り出しを禁止する警告表示をディスプレイパネル２２に表示させるようにしたので、メモリカード２の記録動作中に誤ってメモリカード２がスロット３６から取り出されてデータが破損することを防止する上でより有利となる。
また本実施の形態では、スロット３６に挿入されたメモリカード２に対するデータの記録動作がなされているか否かを表示するメモリカードアクセスランプ１２４を設けたので、蓋体３８が開放位置に位置してメモリカード２のスロット３６に対する挿脱が可能な状態にあった場合に、メモリカード２の記録動作中に誤ってメモリカード２がスロット３６から取り出されてデータが破損することを防止する上でより一層有利となる。
【００２９】
なお、本実施の形態では、電子機器がビデオカメラからなる撮像装置である場合について説明したが、本発明は、ディスプレイパネル２２を備え、メモリカード２に対して書き込みおよび／または読み出しを行う電子機器に広く適用可能である。
【００３０】
なお、筐体１２の右側面１２Ｃに右手のひらを当て付けた状態で、親指の指先で動画撮影用スイッチ２８を操作できるように構成し、右手の拇指丘が入り込む空間６０が傾斜面５８の後方に確保されるように構成すると次のような効果が奏され、以下その構成について詳細に説明する。
図１４は撮像装置１０の後部の構成を示す斜視図、図１５は撮像装置１０を手で把持した状態を示す説明図、図１６（Ａ）、（Ｂ）、（Ｃ）は防塵カバー６４の開閉動作の説明図である。
図１４に示すように、筐体１２は後方を臨む後面１２Ｃを有している。
後面１２Ｃには、撮像装置１０に電源を供給するためのバッテリー４６（図１５）を装脱可能に装着する装脱部４８が設けられている。
【００３１】
図２、図４に示すように、バッテリー４６は直方体を呈し、長方形状を呈する装着面４６Ａと、装着面４６Ａの２つの長辺から起立された左右の側面４６Ｂ、４６Ｃと、装着面４６Ａの２つの短辺から起立された上下の端面４６Ｄ、４６Ｅと、それら左右の側面４６Ｂ、４６Ｃと上下の端面４６Ｄ、４６Ｅを接続する接続面４６Ｆとを備えている。
そして、左右の側面４６Ｂ、４６Ｃと、上下の端面４６Ｄ、４６Ｅと、接続面４６Ｆとによってバッテリー４６の外面４６Ｇが構成されている。
バッテリー４６の上端面４６Ｄと装着面４６Ａとの境目には、後述する機器側コネクタ５２（図１４）に接続される図示しないバッテリー側コネクタが設けられている。
また、図示しないが、バッテリー４６の装着面４６Ａの左右両側には、長辺方向に間隔をおいてそれぞれ３つの係合爪が形成されており、これら係合爪は後述する係脱機構５４の係合爪５４Ａ（図１４）にそれぞれ係合可能に構成されている。
【００３２】
装脱部４８は、図１４に示すように、収容凹部５０と、機器側コネクタ５２と、係脱機構５４などを含んで構成されている。
収容凹部５０は、筐体１２の後面１２Ｃに後方および下方に開放状に設けられバッテリー４６が収容されるものである。
収容凹部５０は、左側に位置する左側面５０Ａと、左側面５０Ａと対向して右側に位置する右側面５０Ｂと、左側面５０Ａおよび右側面５０Ｂの上部を接続する上面５０Ｃと、左側面５０Ａ、右側面５０Ｂ、上面５０Ｃの前部を接続する底面５０Ｄとで構成されている。
左右の側面５０Ａ、５０Ｂは互いに平行し、左右の側面５０Ａ、５０Ｂと、上面５０Ｃと、底面５０Ｄとは互いに直交している。
【００３３】
機器側コネクタ５２は、装脱部４８に装着されたバッテリー４６のバッテリー側コネクタと電気的に接続され、バッテリー４６の電源を撮像装置１０に供給するものである。
機器側コネクタ５２は、上面５０Ｃと底面５０Ｄと境目の左右方向の中央に設けられている。
【００３４】
係脱機構５４は、装脱部４８に装着されたバッテリー４６に係脱することでバッテリー４６を保持するものである。
係脱機構５４は、複数の係合爪５４Ａと、ロック爪５４Ｂとで構成されている。
係合爪５４Ａは、左側面５０Ａと底面５０Ｄとの境目に上下に間隔をおいて３つ設けられ、これら３つの係合爪５４Ａに対応する右側面５０Ａと底面５０Ｄとの境目にも３つの係合爪５４Ａが設けられ、合計６つの係合爪５４Ａが設けられている。
ロック爪５４Ｂは、図４、図１４に示すように、底面５０Ｄと筐体１２の下面１２Ｂとの境目に設けられ、収容凹部５０内に突出する突出する突出位置と、収容凹部５０から前方に退避する退避位置との間を移動可能に設けられ、常時突出方向に付勢されている。
【００３５】
バッテリー４６の装脱部４８への装着は次のようになされる。
バッテリー４６の上端面４６Ｄを上面５０Ｃの下方に向けた状態でバッテリー４６を収容凹部５０に挿入し、装着面４６Ａを収容凹部５０の底面５０Ｄに当て付けた状態でバッテリー４６を上方にスライドさせる。
ロック爪５４Ｂは、バッテリー４６の装着面４６Ａに当接し、突出位置から退避位置に移動する。
バッテリー４６の上方へのスライドによりバッテリー４６の各係合爪が装脱部４８の各係合爪５４Ａに係合すると、それ以上の上方への移動が不能となり、この状態でロック爪５４Ｂが装着面４６Ａから外れて突出位置に移動し、図４に示すように、ロック爪５４Ｂがバッテリー４６の下端面４６Ｅに係合する。
これにより、バッテリー４６のバッテリー側コネクタが機器側コネクタ５２に接続され、バッテリー４６が装脱部４８に装着されることになる。
【００３６】
バッテリー４６の装脱部４８からの取り外しは次のようになされる。
ロック爪５４Ｂを指で退避位置に移動させることによってロック爪５４Ｂとバッテリー４６の下端面４６Ｅとの係合を解除させ、その状態でバッテリー４６の装着面４６Ａを底面５０Ｄに当て付けた状態でバッテリー４６を下方に移動させ、バッテリー４６の各係合爪を装脱部４８の各係合爪５４Ａから外し、バッテリー４６を手前に引き出し、これによりバッテリー４６の装脱部４８からの取り外しがなされる。
なお、機器側コネクタ５２や係脱機構５４の構造には従来公知のさまざまな構成が採用可能である。
【００３７】
図２、図４に示すように、収容凹部５０の右側方に位置する後面１２Ｃ部分によって右後面部５６が構成され、収容凹部５０の左側方に位置する後面１２Ｃ部分によって左後面部６２が構成されている。
右後面部５６の上部には、前述した撮影スタート／ストップの操作部材として機能する動画撮影用スイッチ２８Ｅが配置され、図１５に示すように、筐体１２の右側面１２Ｄに右手のひらを当て付けた状態で、親指の指先で動画撮影用スイッチ２８Ｅが操作できるように構成されている。より詳細には、筐体１２の右側面１２Ｄに右手のひらを当て付け、上面１２１０の左傾斜面１２１０Ａに右手の指先を当て付けることで筐体１２を挟持した状態で、親指の指先で動画撮影用スイッチ２８Ｅが操作できるように構成されている。
また、図４、図１１に示すように、右後面部５６の下部は、下方に至るにつれて次第に前方に変位する傾斜面５８として形成されている。
傾斜面５８は、斜め下方に対して凸状の湾曲面で形成され、したがって、筐体１２の右側面１２Ｃの後部で下部は前記湾曲面により縁取られた湾曲形状を呈している。
そして、図１５に示すように、筐体１２の右側面１２Ｄに右手のひらを当て付けた状態で、右手の拇指丘が入り込む空間６０が傾斜面５８の後方に確保されるように構成されている。より詳細には、筐体１２の右側面１２Ｄに右手のひらを当て付け、上面１２１０の左傾斜面１２１０Ａに右手の指先を当て付けることで筐体１２を挟持した状態で、右手の拇指丘が入り込む空間６０が傾斜面５８の後方に確保されるように構成されている。
【００３８】
図１０、図１１に示すように、動画撮影用スイッチ２８Ｅは、装脱部４８にバッテリー４６が装着された状態で、筐体１２の後方を向いたバッテリー４６の後面４６Ｆと前後方向においてほぼ同じ位置に位置している。
また、図１５に示すように、装脱部４８にバッテリー４６が装着された状態で、筐体１２の右側面１２Ｄに右手のひらを当て付け、親指が筐体１２の後面１２Ｃ上に位置して親指の指先で動画撮影用スイッチ２８Ｅを操作でき、かつ、動画撮影用スイッチ２８Ｅの非操作時に親指の指先をバッテリー４６の後面４６Ｆ箇所に当て付けられるように構成されている。より詳細には、筐体１２の右側面１２Ｄに右手のひらを当て付け、上面１２１０の左傾斜面１２１０Ａに右手の指先を当て付けることで筐体１２を挟持した状態で、親指が筐体１２の後面１２Ｃ上に位置して親指の指先で動画撮影用スイッチ２８Ｅを操作でき、かつ、動画撮影用スイッチ２８Ｅの非操作時に親指の指先をバッテリー４６の後面４６Ｆ箇所に当て付けられるように構成されている。
【００３９】
なお、図１５において符号６０は、両端が筐体１２の右側面１２Ｄの前後に連結されたグリップベルトであり、グリップベルト６０と右側面１２Ｄとの間に右手を挿入することで右手で筐体１２をしっかりと把持できるようになっている。
【００４０】
図３に示すように、収容凹部５０の左側方に位置する左後面部６２は、防塵カバー６４と、筐体１２の壁面１２０２とで構成されている。
図１４に示すように、収容凹部５０の左側部の後部には切り欠き部６６が設けられ、この切り欠き部６６の底面６６Ａに前述した外部入出力端子１３０を構成する複数のコネクタ１３０Ａ、１３０Ｂが設けられる。図中符号１４０はコネクタ１３０Ｂに接続される外部機器のコネクタを示す。
防塵カバー６４は、左後面部６２の下部を除いた部分を構成する後面部６４０２と、後面部６４０２から屈曲し収容凹部５０の左側面５０Ａの後部の部分を構成する側面部６４０４とを有している。
後面部６４０２の内面に軸６８を介して可撓可能な帯板７０が連結され、この帯板７０は底面６６Ａの開口６６Ｂから筐体１２内に配設され先端に図示しない係止部材が取着され、これにより帯板７０は開口６６Ｂから出没可能に設けられ、前記係止部材が開口６６Ｂに係止することにより、帯板７０の最大突出位置が規制されている。
切り欠き部６６の防塵カバー６４による閉塞は、後面部６４０２の先端６４０２Ａが左後面部６２の壁面６２Ａに当接し、側面部６４０４の先端６４０４Ａが底面６６Ａに当接し、防塵カバー６４の係止爪７２が切り欠き部６６の係止凹部７４に係止することでなされ、切り欠き部６６の開放は、防塵カバー６４の後面部６４０２の上端に指を掛け後方に動かして係止爪７２と係止凹部７４との係止を解除することで行い、したがって、防塵カバー６４は切り欠き部６６に装脱可能である。
図４に示すように、防塵カバー６４により切り欠き部６６を閉塞した状態で後面部６４０２は筐体１２の壁面１２０２と同一面上を延在し、側面部６４０４は収容凹部５０の左側面５０Ａと同一面上を延在する。
【００４１】
以上説明したように、筐体１２の右側面１２Ｃに右手のひらを当て付けた状態で、親指の指先で動画撮影用スイッチ２８を操作できるように構成され、右手の拇指丘が入り込む空間６０が傾斜面５８の後方に確保されるように構成すると、親指の指先で動画撮影用スイッチ２８Ｅを操作できることは無論のこと、筐体１２の外形の小型化が図られ、筐体１２の外形に手で把持しやすい形状を形成することが難しい場合であっても、右手の拇指丘を空間６０に入り込ませることで筐体１２をしっかりと把持することができ、操作性の向上を図る上で有利となる。
【００４２】
また、収容凹部５０にバッテリー４６が装着された状態で、筐体１２の後方を向いたバッテリー４６の外面４６Ｇと動画撮影用スイッチ２８Ｅとが前後方向においてほぼ同じ位置に位置し、筐体１２の右側面１２Ｃに右手のひらを当て付けた状態で、親指の指先で動画撮影用スイッチ２８Ｅを操作でき、かつ、動画撮影用スイッチ２８Ｅの非操作時に親指の指先をバッテリー４６の外面４６Ｇ箇所に当て付けられるように構成すると、筐体１２の外形の小型化が図られ、親指を当て付けるスペースを筐体１２上に確保することが難しい場合であっても、筐体１２の右側面１２Ｃに右手のひらを当て付けた状態で、親指の指先で動画撮影用スイッチ２８Ｅを操作できることは無論のこと、動画撮影用スイッチ２８に対する操作を行わない際には、親指の指先をバッテリー４６の外面４６Ｇ箇所に当て付けることでバッテリー４６を介して筐体１２を安定して保持することができ操作性の向上を図る上で有利となる。
また、筐体１２の後方を向いたバッテリー４６の外面４６Ｇと動画撮影用スイッチ２８Ｅとが前後方向においてほぼ同じ位置に位置していることから、動画撮影用スイッチ２８に対する操作が必要になった場合には、外面４６Ｇ箇所に当て付けていた親指の指先を右側方に僅かに動かすだけで動画撮影用スイッチ２８を即座に操作でき、親指の指先を動かして動画撮影用スイッチ２８を探すといった無駄な操作が不要となるため、操作性の向上を図る上でより有利となる。
また、収容凹部５０にバッテリー４６が装着された状態でも、筐体１２の右側面１２Ｄを把持する右手の拇指丘が入り込む空間６０がバッテリー４６の右側面４６Ｃの側方で傾斜面５８の後方に確保されるので、筐体１２の外形の小型化が図られ、筐体１２の外形に手で把持しやすい形状を形成することが難しい場合であっても、右手の拇指丘を空間６０に入り込ませることで筐体１２をしっかりと把持することができ、操作性の向上を図る上で有利となる。
【００４３】
また、防塵カバー６４の後面部６４０２の内面に軸６８を介して可撓可能な帯板７０が連結され、帯板７０が開口６６Ｂから出没可能に設けられているので、次のような利点を有している。
すなわち、切り欠き部６６を閉塞する防塵カバー６４を開放する際には、閉塞する防塵カバー６４の後面部６４０２の上端に指を掛け後方に動かして係止爪７２と係止凹部７４との係止を解除し、図１６（Ａ）、（Ｂ）に示すように、防塵カバー６４を後方に引き出す。
これにより、防塵カバー６４と共に帯板７０が開口６６Ｂから後方に引き出され、防塵カバー６４の後面部６４０２が切り欠き部６６に対面した状態を保持しつつ切り欠き部６６から離間する。
次いで、防塵カバー６４を軸６８を支点にして９０度揺動させると、図１４、図１６（Ｃ）に示すように、切り欠き部６６の後方から防塵カバー６４が左側方に移動し、切り欠き部６６の後方が大きく開放される。
したがって、複数のコネクタ１３０Ａ、１３０Ｂに対するコネクタ１４０などの挿脱時の作業性を高める上で有利となる。
また、帯板７０が可撓性を有していることから、図５に示すように、防塵カバー６４を左側方に撓ませることで切り欠き部６６の後方をより大きく開放させることができ、コネクタの挿脱時の作業性を高める上でより一層有利となる。
【００４４】
なお、筐体１２の右後面部５６に設ける操作部材が動画撮影用スイッチ２８Ｅである場合について説明したが、操作部材は動画撮影用スイッチ２８Ｅに限定されるものではなく、例えば、電源スイッチ２８Ａ、静止画撮影用スイッチ２８Ｂ、ズーム用スイッチ２８Ｃ、モード切り換え用スイッチ２８Ｄであってもよく、また、２つ以上の操作部材を設けてもかまわない。
また、撮像装置が記録媒体としてメモリカードを用いるビデオカメラである場合について説明したが、メモリカード以外の従来公知のさまざまな記録媒体を用いるビデオカメラやデジタルスチルカメラなどの撮像装置に適用可能であることは無論であり、記録媒体が直接装着されない形態の撮像装置にも適用可能である。
【図面の簡単な説明】
【００４５】
【図１】撮像装置１０のディスプレイパネル２２が収容位置に位置した状態の斜視図である。
【図２】撮像装置１０のディスプレイパネル２２が収容位置に位置した状態の斜視図である。
【図３】撮像装置１０のディスプレイパネル２２が収容位置に位置した状態の斜視図である。
【図４】撮像装置１０のディスプレイパネル２２が収容位置に位置した状態の斜視図である。
【図５】撮像装置１０のディスプレイパネル２２が開放位置に位置した状態の斜視図である。
【図６】撮像装置１０のディスプレイパネル２２が収容位置に位置した状態でのメモリカード２の挿脱動作の説明図である。
【図７】ディスプレイパネル２２が収容位置に位置した状態での蓋体３８の開放位置および閉塞位置を示す説明図である。
【図８】（Ａ）はディスプレイパネル２２が収容位置に位置した状態での蓋体３８の閉塞位置を示す説明図、（Ｂ）はディスプレイパネル２２が収容位置に位置した状態での蓋体３８の開放位置を示す説明図である。
【図９】撮像装置１０の正面図である。
【図１０】撮像装置１０の平面図である。
【図１１】図１０のＡ矢視図である。
【図１２】撮像装置１０の制御系の構成を示すブロック図である。
【図１３】撮像装置１０の撮影時においてメモリカード２を交換する際の動作フローャートである。
【図１４】撮像装置１０の後部の構成を示す斜視図である。
【図１５】撮像装置１０を手で把持した状態を示す説明図である。
【図１６】（Ａ）、（Ｂ）、（Ｃ）は防塵カバー６４の開閉動作の説明図である。
【符号の説明】
【００４６】
２……メモリカード、１０……撮像装置、１２……筐体、１２Ａ……左側面、２２……ディスプレイパネル、３６……スロット、３６０２……開口、３８……蓋体。
【図１】
2008271328.tif 000003
【図２】
2008271328.tif 000004
【図３】
2008271328.tif 000005
【図４】
2008271328.tif 000006
【図５】
2008271328.tif 000007
【図６】
2008271328.tif 000008
【図７】
2008271328.tif 000009
【図８】
2008271328.tif 000010
【図９】
2008271328.tif 000011
【図１０】
2008271328.tif 000012
【図１１】
2008271328.tif 000013
【図１２】
2008271328.tif 000014
【図１３】
2008271328.tif 000015
【図１４】
2008271328.tif 000016
【図１５】
2008271328.tif 000017
【図１６】
2008271328.tif 000018